【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
撮像素子と、
絞り機構により前記撮像素子への露光量を制御する露光量制御手段と、
シャッタ機構により前記撮像素子への露光時間を制御する露光時間制御手段と、
撮像素子から読み出したデータから輝度情報を抽出する輝度情報抽出手段と、
動画撮影時に静止画撮影に切り替えるように指示する指示手段と、
前記指示手段による指示に応答して、動画撮影中の少なくとも絞り値と、シャッタ速度と、被写体の前記輝度情報とに基づいて静止画撮影用の露出値を決定する露出決定手段と、
前記露出決定手段により決定された前記静止画撮影用の露出値と、当該静止画撮影用の絞り値とに基づいて静止画撮影用のシャッタ速度を決定するシャッタ速度決定手段と、
前記シャッタ速度決定手段により決定されたシャッタ速度と、前記静止画撮影用の絞り値の変化量との和に基づく経過時間を算出する算出手段と、
前記算出手段により算出された前記経過時間が所定の条件を満たす静止画撮影用の絞り値及びシャッタ速度に基づいて前記露光量制御手段及び前記露光時間制御手段を制御して静止画撮影を実行するように制御する制御手段と、
を有することを特徴とする撮像装置。
【請求項２】
撮像素子と、
絞り機構により前記撮像素子への露光量を制御する露光量制御手段と、
シャッタ機構により前記撮像素子への露光時間を制御する露光時間制御手段と、
撮像素子から読み出したデータから輝度情報を抽出する輝度情報抽出手段と、
動画撮影時に静止画撮影に切り替え、再び動画撮影に切り替えるように指示する指示手段と、
前記指示手段による指示に応答して、動画撮影中の少なくとも絞り値と、シャッタ速度と、被写体の前記輝度情報とに基づいて静止画撮影用の露出値を決定する露出決定手段と、
前記露出決定手段により決定された前記静止画撮影用の露出値と、当該静止画撮影用の絞り値とに基づいて静止画撮影用のシャッタ速度を決定するシャッタ速度決定手段と、
前記シャッタ速度決定手段により決定されたシャッタ速度と、前記静止画撮影用の絞り値の変化量との和に基づく経過時間を算出する算出手段と、
前記算出手段により算出された前記経過時間が所定の条件を満たす静止画撮影用の絞り値及びシャッタ速度に基づいて前記露光量制御手段及び前記露光時間制御手段を制御して静止画撮影を実行した後、動画撮影を実行するように制御する制御手段と、
を有することを特徴とする撮像装置。
【請求項３】
前記経過時間は、前記シャッタ速度決定手段により決定されたシャッタ速度に基づく露光時間と、前記静止画撮影用の絞り値と該絞り値からｎステップ動かした絞り値とから算出される絞り駆動時間との和に基づき算出されることを特徴とする請求項１又は２に記載の撮像装置。
【請求項４】
前記露出決定手段は、絞り値とシャッタ速度の加算値から露出値を引いて得られるゲインを更に用いて、前記静止画撮影用の露出値を決定することを特徴とする請求項１乃至３のいずれか１項に記載の撮像装置。
【請求項５】
前記所定の条件とは、前記算出手段により算出された前記経過時間が最小となることであることを特徴とする請求項１乃至４のいずれか１項に記載の撮像装置。
【請求項６】
撮像素子と、絞り機構により前記撮像素子への露光量を制御する露光量制御手段と、シャッタ機構により前記撮像素子への露光時間を制御する露光時間制御手段と、前記撮像素子から読み出したデータから輝度情報を抽出する輝度情報抽出手段とを有する撮像装置の制御方法であって、
動画撮影時に静止画撮影に切り替えるように指示する指示工程と、
前記指示工程による指示に応答して、動画撮影中の少なくとも絞り値と、シャッタ速度と、被写体の輝度情報とに基づいて静止画撮影用の露出値を決定する露出決定工程と、
前記露出決定工程で決定された前記静止画撮影用の露出値と、当該静止画撮影用の絞り値とに基づいて静止画撮影用のシャッタ速度を決定するシャッタ速度決定工程と、
前記シャッタ速度決定工程で決定されたシャッタ速度と、前記静止画撮影用の絞り値の変化量との和に基づく経過時間を算出する算出工程と、
前記算出工程で算出された前記経過時間が所定の条件を満たす静止画撮影用の絞り値及びシャッタ速度に基づいて前記露光量制御工程及び前記露光時間制御工程を制御して静止画撮影を実行するように制御する制御工程と、
を有することを特徴とする撮像装置の制御方法。
【請求項７】
撮像素子と、絞り機構により前記撮像素子への露光量を制御する露光量制御手段と、シャッタ機構により前記撮像素子への露光時間を制御する露光時間制御手段と、前記撮像素子から読み出したデータから輝度情報を抽出する輝度情報抽出手段とを有する撮像装置の制御方法であって、
動画撮影時に静止画撮影に切り替え、再び動画撮影に切り替えるように指示する指示工程と、
前記指示工程による指示に応答して、動画撮影中の少なくとも絞り値と、シャッタ速度と、被写体の輝度情報とに基づいて静止画撮影用の露出値を決定する露出決定工程と、
前記露出決定工程で決定された前記静止画撮影用の露出値と、当該静止画撮影用の絞り値とに基づいて静止画撮影用のシャッタ速度を決定するシャッタ速度決定工程と、
前記シャッタ速度決定工程で決定されたシャッタ速度と、前記静止画撮影用の絞り値の変化量との和に基づく経過時間を算出する算出工程と、
前記算出工程で算出された前記経過時間が所定の条件を満たす静止画撮影用の絞り値及びシャッタ速度に基づいて前記露光量制御工程及び前記露光時間制御工程を制御して静止画撮影を実行した後、動画撮影を実行するように制御する制御工程と、
を有することを特徴とする撮像装置の制御方法。
【請求項８】
前記経過時間は、前記シャッタ速度決定工程で決定されたシャッタ速度に基づく露光時間と、前記静止画撮影用の絞り値と該絞り値からｎステップ動かした絞り値とから算出される絞り駆動時間との和に基づき算出されることを特徴とする請求項６又は７に記載の撮像装置の制御方法。
【請求項９】
前記露出決定工程では、絞り値とシャッタ速度の加算値から露出値を引いて得られるゲインを更に用いて、前記静止画撮影用の露出値を決定することを特徴とする請求項６乃至８のいずれか１項に記載の撮像装置の制御方法。
【請求項１０】
前記所定の条件とは、前記算出工程で算出された前記経過時間が最小となることであることを特徴とする請求項６乃至９のいずれか１項に記載の撮像装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明の一態様に係る撮像装置は以下のような構成を備える。即ち、
撮像素子と、
絞り機構により前記撮像素子への露光量を制御する露光量制御手段と、
シャッタ機構により前記撮像素子への露光時間を制御する露光時間制御手段と、
撮像素子から読み出したデータから輝度情報を抽出する輝度情報抽出手段と、
動画撮影時に静止画撮影に切り替えるように指示する指示手段と、
前記指示手段による指示に応答して、動画撮影中の少なくとも絞り値と、シャッタ速度と、被写体の前記輝度情報とに基づいて静止画撮影用の露出値を決定する露出決定手段と、
前記露出決定手段により決定された前記静止画撮影用の露出値と、当該静止画撮影用の絞り値とに基づいて静止画撮影用のシャッタ速度を決定するシャッタ速度決定手段と、
前記シャッタ速度決定手段により決定されたシャッタ速度と、前記静止画撮影用の絞り値の変化量との和に基づく経過時間を算出する算出手段と、
前記算出手段により算出された前記経過時間が所定の条件を満たす静止画撮影用の絞り値及びシャッタ速度に基づいて前記露光量制御手段及び前記露光時間制御手段を制御して静止画撮影を実行するように制御する制御手段と、
を有することを特徴とする。
【手続補正４】
【補正対象書類名】明細書
【補正対象項目名】０００８
【補正方法】変更
【補正の内容】
【０００８】
本発明の別の一態様に係る撮像装置は以下のような構成を備える。即ち、
撮像素子と、
絞り機構により前記撮像素子への露光量を制御する露光量制御手段と、
シャッタ機構により前記撮像素子への露光時間を制御する露光時間制御手段と、
撮像素子から読み出したデータから輝度情報を抽出する輝度情報抽出手段と、
動画撮影時に静止画撮影に切り替え、再び動画撮影に切り替えるように指示する指示手段と、
前記指示手段による指示に応答して、動画撮影中の少なくとも絞り値と、シャッタ速度と、被写体の前記輝度情報とに基づいて静止画撮影用の露出値を決定する露出決定手段と、
前記露出決定手段により決定された前記静止画撮影用の露出値と、当該静止画撮影用の絞り値とに基づいて静止画撮影用のシャッタ速度を決定するシャッタ速度決定手段と、
前記シャッタ速度決定手段により決定されたシャッタ速度と、前記静止画撮影用の絞り値の変化量との和に基づく経過時間を算出する算出手段と、
前記算出手段により算出された前記経過時間が所定の条件を満たす静止画撮影用の絞り値及びシャッタ速度に基づいて前記露光量制御手段及び前記露光時間制御手段を制御して静止画撮影を実行した後、動画撮影を実行するように制御する制御手段と、を有することを特徴とする。
【手続補正５】
【補正対象書類名】明細書
【補正対象項目名】０００９
【補正方法】変更
【補正の内容】
【０００９】
本発明の一態様に係る撮像装置の制御方法は以下のような工程を備える。即ち、
撮像素子と、絞り機構により前記撮像素子への露光量を制御する露光量制御手段と、シャッタ機構により前記撮像素子への露光時間を制御する露光時間制御手段と、前記撮像素子から読み出したデータから輝度情報を抽出する輝度情報抽出手段とを有する撮像装置の制御方法であって、
動画撮影時に静止画撮影に切り替えるように指示する指示工程と、
前記指示工程による指示に応答して、動画撮影中の少なくとも絞り値と、シャッタ速度と、被写体の輝度情報とに基づいて静止画撮影用の露出値を決定する露出決定工程と、
前記露出決定工程で決定された前記静止画撮影用の露出値と、当該静止画撮影用の絞り値とに基づいて静止画撮影用のシャッタ速度を決定するシャッタ速度決定工程と、
前記シャッタ速度決定工程で決定されたシャッタ速度と、前記静止画撮影用の絞り値の変化量との和に基づく経過時間を算出する算出工程と、
前記算出工程で算出された前記経過時間が所定の条件を満たす静止画撮影用の絞り値及びシャッタ速度に基づいて前記露光量制御工程及び前記露光時間制御工程を制御して静止画撮影を実行するように制御する制御工程と、
を有することを特徴とする。
【手続補正６】
【補正対象書類名】明細書
【補正対象項目名】００１０
【補正方法】変更
【補正の内容】
【００１０】
本発明の別の一態様に係る撮像装置の制御方法は以下のような工程を備える。即ち、
撮像素子と、絞り機構により前記撮像素子への露光量を制御する露光量制御手段と、シャッタ機構により前記撮像素子への露光時間を制御する露光時間制御手段と、前記撮像素子から読み出したデータから輝度情報を抽出する輝度情報抽出手段とを有する撮像装置の制御方法であって、
動画撮影時に静止画撮影に切り替え、再び動画撮影に切り替えるように指示する指示工程と、
前記指示工程による指示に応答して、動画撮影中の少なくとも絞り値と、シャッタ速度と、被写体の輝度情報とに基づいて静止画撮影用の露出値を決定する露出決定工程と、
前記露出決定工程で決定された前記静止画撮影用の露出値と、当該静止画撮影用の絞り値とに基づいて静止画撮影用のシャッタ速度を決定するシャッタ速度決定工程と、
前記シャッタ速度決定工程で決定されたシャッタ速度と、前記静止画撮影用の絞り値の変化量との和に基づく経過時間を算出する算出工程と、
前記算出工程で算出された前記経過時間が所定の条件を満たす静止画撮影用の絞り値及びシャッタ速度に基づいて前記露光量制御工程及び前記露光時間制御工程を制御して静止画撮影を実行した後、動画撮影を実行するように制御する制御工程と、を有することを特徴とする。